(57)【特許請求の範囲】
【請求項１】
遊技球が通過するトンネル状の通路を形成し且つ外側レールの表面の横幅とほぼ同一の横幅を有する球逆流防止装置を、遊技球の飛び出し口以上の位置において、前記外側レールの表面に前記通路の側から固定し、
前記通路の径を入口から出口に向かって縮径し、
前記通路の入口径を、前記通路の出口径より大きく設定された前記外側レールの表面の横幅と同一とし、
前記通路の出口径を前記遊技球の径より大きく形成し、
前記通路の出口面を下方に傾斜させてなることを特徴とする弾発遊技機。
【発明の詳細な説明】
【０００１】
【産業上の利用分野】
本発明は、球逆流防止装置を備えた、いわゆるフィーバー機、権利物又はアレンジ遊技機等の弾発遊技機に関するものである。
【０００２】
【従来の技術】
従来、遊技球の球戻り防止装置として、実開昭５−６５３７５号及び実開昭６−４４５８０号に開示されているものがある。実開昭５−６５３７５号公報においては、上部レール２８の誘導レール２７寄り部位に切り欠き部２８ａを設け、そこに球戻り防止片３１を設け、それが遊技球の飛び出し方向前方側で揺動が自在となっていると共に、それとは反対方向へは揺動が規制されており、遊技球は球戻り防止片３１を揺動させて通過し、釘２６等に当たって跳ね返った遊技球は反対側から球戻り防止片３１に当たって再び跳ね返り、遊技球が発射位置側へは戻らないようになっている。実開昭６−４４５８０号公報においては、案内レール１における内側レール部３に形成されたセット部４には、所要範囲における上下部位に、少なくとも２個以上の係止口２７が形成され、薄肉弾性材より一定サイズ・形状に形成された逆戻り阻止具１１の保持部１２には、所要部位に係止口２７に対して弾性的に係止し得る少なくとも１個以上の係止片が形成され、保持部１２の一端に、逆戻り阻止具１１をセット部４に係止セットした状態で、案内レール１の飛び出し口７を弾性変形に基づいて開閉し得る帯状の阻止片２０が一連に形成されており、遊技球が発射位置側へは戻らないようになっている上に、各種型式の遊技機にセットされる各種のゲーム内容毎の遊技盤において、逆戻り阻止具１１をそのゲーム内容に応じてセット部４の所望の位置毎に係止セットして実施できるようになっている。
【０００３】
【発明が解決しようとする課題】
ところが、上述の従来技術いずれにおいても、球戻り防止片３１又は阻止片２０といった遊技球を戻す部分は、可動性のものであり損傷しやすく耐久性に問題がある。またいずれも案内レールを切り欠いたり、係止口を穿孔等しなければならなず設置作業が繁雑である。したがって、本発明の課題は、耐久性に優れ構造の簡単な球逆流装置を備えた弾発遊技機を提供することにある。
【０００４】
【課題を解決するための手段】
上記課題を解決するため、請求項１に係る発明は、遊技球が通過するトンネル状の通路を形成し且つ外側レールの表面の横幅とほぼ同一の横幅を有する球逆流防止装置を、遊技球の飛び出し口以上の位置において、前記外側レールの表面に前記通路の側から固定し、前記通路の径を入口から出口に向かって縮径し、前記通路の入口径を、前記通路の出口径より大きく設定された前記外側レールの表面の横幅と同一とし、前記通路の出口径を前記遊技球の径より大きく形成し、前記通路の出口面を下方に傾斜させてなることを特徴とする弾発遊技機としている。これにより、前記球逆流防止装置には可動部分がなく耐久性の課題を解決できる。また、遊技球が球出口に戻る確率は極めて低く、遊技球の案内レールへの逆流防止が達成できる。
【０００５】
請求項１に係る発明によれば、前記課題が解決される上、遊技球の誘導効果が優れている。
【０００６】
【発明の実施の形態】
本発明を一層明確にするために好適な実施形態を図面と共に説明する。図１に示す通り、本発明の特徴的構成である球逆流防止装置１は弾発遊技機２に設けられており、その球逆流防止装置１を中心として説明し、弾発遊技機２自体の構成は周知であるので割愛する。図１に示すように、遊技盤３の前面周囲には、在来通りの組み付け方法により割ピン等を用いて、内側レール４及び外側レール５を備えた案内レール６が一定の円弧状に取り付けられ、内側レール４の自由端が遊技盤３の左上部に配置され、内側レール４及びの間が遊技球用の飛走路７とされている。その飛走路７の上端面、つまり、内側レール４の上端位置における開口面が、遊技球８の飛び出し口９となっている。その飛び出し口９の若干上部において、球逆流防止装置１が外側レール５上に固定されている。球逆流防止装置１の入口面１１が内側レール４の上端部に近接して配置され、出口面１４が下方に傾斜している。球逆流防止効果を発揮させるためには、球逆流防止装置１の位置は飛び出し口９と同位置又はそれより高くする必要が有る。遊技球は飛び出し口９を通過し、球逆流防止装置１内部を通過して遊技領域Ａに向かうようになっている。
【０００７】
図２（ａ）（ｂ）及び図３（ａ）〜（ｅ）に示す合成樹脂製の球逆流防止装置１の詳細について説明する。球逆流防止装置１は六面体構造とされ、そこに遊技球８が通過できるようなトンネル状の通路１０を外側レール５方向に沿って溝状に形成し、且つ、球逆流防止装置１を外側レール５の横幅とほぼ同一の横幅を有するように形成し、その高さは飛び出し口９の幅程度に形成し、その長さは遊技球の５球ないし７球程度になるように形成している。球逆流防止装置１の底面は、外側レール５の円弧内側表面に適合するように円弧状とされており、外側レール５の表面に通路１０の側から接着により固定している。その固定方法は接着に限定されるものではなく、接着に代えてボルト・ナットあるいは外側レール５と一体成型等種々の方法が挙げられる。また、球逆流防止装置１の材質は合成樹脂に限定されず、セラミック、軽金属等の他の材質も採用可能である。
【０００８】
図３では説明の便宜上、球逆流防止装置１の位置を適宜回転させて図示している。図３（ａ）（ｂ）に示す通り、通路１０の入口径Ｄ１を外側レール５の幅と同一とし、通路１０の出口径Ｄ２を遊技球の径より若干大きく形成している。また図３（ｃ）に示す通り、球入口１２から球出口１３に向かって通路１０が単調的に縮径するとともに、図３（ｄ）（ｅ）に示す通り、球逆流防止装置１の横垂直断面を逆Ｕ字形状とし、それぞれの断面位置において相似形状としている。図３（ｃ）に示す通り、球逆流防止装置１の入口面１１を外側レール５とほぼ垂直とし、出口面１４を外側レール５の面に対して鋭角をなすようにしている。そのため出口面１４は遊技盤３の下方（ほぼ垂直）に傾斜されている（図２参照）。
【０００９】
本実施形態の特徴的動作を説明すると、図４に示すように、発射された遊技球８は通路１０の球入口１２に入球し、単調的に縮径されている通路１０を通過し、球出口１３を経て遊技領域Ａに向かう。本実施形態では球出口１３の位置が固定されているので、例え遊技球８の発射コースのばらつきにより球入口１２へ偏位して入球しても、通路１０に案内されることにより、遊技球８の飛び出し位置が常に一定である利点がある。そして、図示するように遊技球８の勢いが弱いために遊技領域Ａまで到達せずに戻ってくると、あるいは遊技球８の勢いは普通以上ではあるが遊技盤３の釘等に跳ね返されて逆流してくると、遊技球８は傾斜した出口面１４で跳ね返って、遊技盤３の下方に誘導される。遊技球８が逆流してくる際に、球出口１３の出口径Ｄ２が遊技球８の径より若干大きくされており、それとほぼ同径となっているため、遊技球８が球出口１３に戻る確率は極めて低く、実際に遊技球８が飛走路７内に逆流することはほとんどないといってよいため、球逆流防止装置１によって、遊技球８の案内レール６への逆流防止効果が極めて高くなる。さらに出口面１４は固定面であることから、そこには可動部分がなく球逆流防止装置１の構造が簡単であり且つ耐久性が優れている。
【００１０】
以上、本実施形態を説明したが、本発明の技術的思想を逸脱しない範囲において本発明の構成を適宜設計変更できることは当然であり、このような設計変更も、本発明の技術的範囲に属するものである。本実施形態では球逆流防止装置１は六面体構造としたが、丸型、かまぼこ型等の他の構造としても良い。本実施形態では通路１０の断面は逆Ｕ字状としたが、角型、丸型、楕円型等の他の断面構造としても良い。本実施形態では球逆流防止装置１を飛び出し口９に近接配置したが、離隔配置しても良い。球逆流防止装置１を外側レール５に固定したが、それに代えて内側レール４に固定する等の構成も可能であり、案内レール６に設ければ良いのである。
【００１１】
【発明の効果】
請求項１に係る発明によれば、構造が簡単で耐久性に優れ、遊技球の飛走路への逆流防止効果が顕著となるとともに、遊技球の飛び出し位置が常に一定であり遊技球の走行安定性が高まる。
【００１２】
請求項１に係る発明によれば、逆流した遊技球の遊技盤下方への誘導効果が優れている。
【図面の簡単な説明】
【図１】本発明一実施形態の弾発遊技機の部分正面図である。
【図２】（ａ）は本発明一実施形態の弾発遊技機の球逆流防止装置付近の正面図、（ｂ）は同中央縦断面図である。
【図３】（ａ）は本発明一実施形態の球逆流防止装置の正面図、（ｂ）は同背面図、（ｃ）は同中央縦断面図、（ｄ）は同中央横断面図（（ｃ）におけるＡ−Ａ断面図）、（ｅ)は同斜視図である。
【図４】本発明一実施形態の弾発遊技機の球逆流防止装置における逆流阻止作用を示す斜視図である。
【符号の説明】
１            球逆流防止装置
２            弾発遊技機
３            遊技盤
４            内側レール
５            外側レール
６            案内レール
７            飛走路
８            遊技球
９            飛び出し口
１０          通路
１１          入口面
１２          球入口
１３          球出口
１４          出口面
Ａ            遊技領域
【図１】
0003858947.tif 000002
【図２】
0003858947.tif 000003
【図３】
0003858947.tif 000004
【図４】
0003858947.tif 000005